(57)【特許請求の範囲】
【請求項１】
複数のデータラインまたは電院ラインを介して、前記複数のデータラインに第１のセンシング電圧を印加することによって、各画素に備えられている駆動ＴＦＴの閾値電圧及び移動度をセンシングし、保存する第１の段階と、
前記複数のデータラインまたは電院ラインを介して前記駆動ＴＦＴの移動度を再びセンシングして、前記駆動ＴＦＴの移動度の誤差を補正する第２の段階と、
前記駆動ＴＦＴの移動度及び閾値電圧が補償されたデータ電圧を前記複数のデータラインに供給する第３の段階と、
を含み、
前記第２の段階は、
前記複数のデータラインに前記駆動ＴＦＴの閾値電圧及び移動度が補償された第２のセンシング電圧を印加し、印加した第２のセンシング電圧を、前記各画素に備えられている駆動ＴＦＴを介して放電させる第２−１の段階と、
前記第２のセンシング電圧が前記駆動ＴＦＴを介して放電される勾配をセンシングして、前記第１の段階で保存された駆動ＴＦＴの移動度の誤差を補正する第２−２の段階であって、
前記第２のセンシング電圧が、前記駆動ＴＦＴを介して放電される勾配をセンシングして各画素別の駆動ＴＦＴの移動度をセンシングするＡ段階と、
前記Ａ段階でセンシングした各画素別の駆動ＴＦＴの移動度の均一度を測定し、測定した均一度が既に設定された基準値よりも大きいと、前記第３の段階に移行するＢ段階と、
前記測定した均一度が前記基準値より小さいまたは等しいと、前記Ａ段階でセンシングした各画素別の駆動ＴＦＴの移動度の中から基準となる基準移動度を設定するＣ段階と、
前記Ａ段階でセンシングした各画素別の駆動ＴＦＴの移動度と前記基準移動度との偏差率を求めるＤ段階と、
前記第１の段階で保存された駆動ＴＦＴの移動度を前記偏差率だけ補正した後、前記第２−１の段階に移行するＥ段階と、
を含む、第２−２の段階と、
を含むことを特徴とする、発光表示装置の駆動方法。
【請求項２】
前記第１の段階は、
印加した前記第１のセンシング電圧を、各画素に備えられている駆動ＴＦＴを介して放電させる第１−１の段階と、
前記第１のセンシング電圧が前記駆動ＴＦＴを介して放電される量、及び放電される勾配をセンシングして、前記駆動ＴＦＴの閾値電圧及び移動度をセンシングし、これらを保存する第１−２の段階と、
を含むことを特徴とする、請求項１に記載の発光表示装置の駆動方法。
【請求項３】
前記第３の段階は、
前記第１−２の段階で保存された閾値電圧と前記第２−２の段階で補正された移動度を補償してデータ電圧を発生し、該データ電圧を前記複数のデータラインに供給する段階であることを特徴とする、請求項２に記載の発光表示装置の駆動方法。
【発明の詳細な説明】
【技術分野】
【０００１】
本発明は、各画素別の駆動スイッチング素子間の電流駆動能力の偏差を最小化して画質を向上させることができる発光表示装置の駆動方法に関する。
【背景技術】
【０００２】
発光表示装置の画素は、定電流素子である駆動ＴＦＴを備えている。これらの駆動ＴＦＴの電流駆動能力は、それらの閾値電圧の影響を大きく受ける。
【０００３】
そこで、画素別の駆動ＴＦＴ間の電流駆動能力の偏差を補正する技術が望まれている。
【発明の概要】
【発明が解決しようとする課題】
【０００４】
本発明は、上記問題点を解決するためのもので、各画素別の駆動ＴＦＴ間の電流駆動能力の偏差を最小化して画質を向上させることができる発光表示装置を提供することを目的とする。
【課題を解決するための手段】
【０００５】
上記目的を達成するために、本発明の実施例に係る発光表示装置の駆動方法は、複数のデータラインまたは電院ラインを介して、各画素に備えられている駆動ＴＦＴの閾値電圧及び移動度をセンシングする第１の段階と、前記複数のデータラインまたは電院ラインを介して前記駆動ＴＦＴの移動度を再びセンシングして、前記駆動ＴＦＴの移動度の誤差を補正する第２の段階と、前記駆動ＴＦＴの移動度及び閾値電圧が補償されたデータ電圧を前記複数のデータラインに供給する第３の段階と、を含むことができる。
【０００６】
前記第１の段階は、前記複数のデータラインに第１のセンシング電圧を印加し、印加した第１のセンシング電圧を、各画素に備えられている駆動ＴＦＴを介して放電させる第１−１の段階と、前記第１のセンシング電圧が前記駆動ＴＦＴを介して放電される量、及び放電される勾配をセンシングして、前記駆動ＴＦＴの閾値電圧及び移動度をセンシングし、これを保存する第１−２の段階と、を含むことができる。
【０００７】
前記第２の段階は、前記複数のデータラインに前記駆動ＴＦＴの閾値電圧及び移動度が補償された第２のセンシング電圧を印加し、印加した第２のセンシング電圧を、前記各画素に備えられている駆動ＴＦＴを介して放電させる第２−１の段階と、前記第２のセンシング電圧が前記駆動ＴＦＴを介して放電される勾配をセンシングして、前記第１−２の段階で保存された駆動ＴＦＴの移動度の誤差を補正する第２−２の段階と、を含むことを特徴とする。
【０００８】
前記第２−２の段階は、前記第２のセンシング電圧が、前記駆動ＴＦＴを介して放電される勾配をセンシングして各画素別の駆動ＴＦＴの移動度をセンシングするＡ段階と、前記Ａ段階でセンシングした各画素別の駆動ＴＦＴの移動度の均一度を測定し、測定した均一度が既に設定された基準値よりも大きいと、前記第３の段階に移行するＢ段階と、前記測定した均一度が前記基準値より小さいまたは等しいと、前記Ａ段階でセンシングした各画素別の駆動ＴＦＴの移動度の中から基準となる基準移動度を設定するＣ段階と、前記Ａ段階でセンシングした各画素別の駆動ＴＦＴの移動度と前記基準移動度との偏差率を求めるＤ段階と、前記第１−２の段階で保存された駆動ＴＦＴの移動度を前記偏差率だけ補正した後、前記第２−１の段階に移行するＥ段階と、を含むことができる。
【０００９】
前記第３の段階は、前記第１−２の段階で保存された閾値電圧と前記第２−２の段階で補正された移動度を補償してデータ電圧を発生し、これを前記複数のデータラインに供給する段階でよい。
【発明の効果】
【００１０】
本発明は、駆動ＴＦＴの閾値電圧及び移動度をセンシングし、駆動ＴＦＴの移動度を再びセンシングして駆動ＴＦＴの移動度の誤差を補正する。そして、駆動ＴＦＴの移動度の誤差が特定の比率以上と補正された判断されると、駆動ＴＦＴの移動度及び閾値電圧が補償されたデータ電圧を複数のデータラインに供給する。これにより、本発明は、各画素別の駆動ＴＦＴ間の電流駆動能力の偏差を最小化して画質を向上させることができる。
【図面の簡単な説明】
【００１１】
【図１】実施例に係る発光表示装置の構成を示す図である。
【図２】実施例に係る発光表示装置の駆動方法を示すフローチャートである。
【図３】図２における第１の段階を具体的に示すフローチャートである。
【図４】図２における第２の段階を具体的に示すフローチャートである。
【発明を実施するための形態】
【００１２】
以下、本発明の実施例に係る発光表示装置の駆動方法を、添付の図面を参照しつつ詳細に説明する。
【００１３】
図１は、実施例に係る発光表示装置の構成を示す図である。
【００１４】
同図の発光表示装置は、表示パネル２と、データ駆動部４と、ゲート駆動部６と、タイミング制御部８と、電源供給部（図示せず）と、を備える。
【００１５】
表示パネル２は、互いに交差する複数のデータラインＤＬ及び複数のゲートラインＧＬと、マトリクス状に配置された画素Ｐと、を備える。各画素Ｐは、発光ダイオード（ＯＬＥＤ）と、発光ダイオード（ＯＬＥＤ）に駆動電流を供給する駆動ＴＦＴと、駆動ＴＦＴの閾値電圧及び移動度を補償する複数のＴＦＴと、を備える。
【００１６】
データ駆動部４は、少なくとも一つのソースドライブＩＣ（図示せず）を有する。データ駆動部４は、タイミング制御部８からデジタルビデオデータＲＧＢ（または、 ＲＧＢＷ）を受信する。そして、データ駆動部４は、タイミング制御部８からのデータ制御信号ＤＣＳに応答してデジタルビデオデータＲＧＢをガンマ補償電圧に変換してデータ電圧を発生し、該データ電圧を表示パネル２のデータラインＤＬに供給する。そして、データ駆動部４は、タイミング制御部８からのセンシング制御信号ＳＣＳに応答して、複数のデータラインＤＬまたは電院ライン（図示せず）を介して、各画素Ｐに備えられている駆動ＴＦＴの閾値電圧及び移動度による画素電流に対応する電圧をセンシングしてタイミング制御部８に供給する。 データ駆動部４は、センシングされた電圧をデジタルデータで変換してタイミング制御部８に供給する。このようなソースドライブＩＣは、ＣＯＧ（Ｃｈｉｐ  Ｏｎ  Ｇｌａｓｓ）工程やＴＡＢ（Ｔａｐｅ  Ａｕｔｏｍａｔｅｄ  Ｂｏｎｄｉｎｇ）工程により表示パネル２のデータラインＤＬに接続することができる。
【００１７】
ゲート駆動部６は、タイミング制御部８からのゲート制御信号ＧＣＳに応答して複数のゲート信号を出力する。複数のゲート信号は、複数のスキャンパルスと、複数の発光制御信号などを含むことができる。ゲート駆動部６は、複数のゲート信号を、最初のゲートラインＧＬから最後のゲートラインＧＬまで順次に出力する。このようなゲート駆動部６は、ＧＩＰ（Ｇａｔｅ  Ｉｎ  Ｐａｎｅｌ）方式で表示パネル２の下部基板上に直接形成されてもよく、ＴＡＢ方式により表示パネル２のゲートラインＧＬとタイミング制御部８との間に連結されてもよい。
【００１８】
タイミング制御部８は、ＬＶＤＳ（Ｌｏｗ  Ｖｏｌｔａｇｅ  Ｄｉｆｆｅｒｅｎｔｉａｌ  Ｓｉｇｎａｌｉｎｇ）インターフェース、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）インターフェースなどのインターフェースを介して外部のホストコンピューターからデジタルビデオデータＲＧＢを受信する。タイミング制御部８は、ホストコンピューターから受信した映像データＲＧＢをソースドライブＩＣに伝送する。そして、タイミング制御部８は、ＬＶＤＳまたはＴＭＤＳインターフェース受信回路を介してホストコンピューターから垂直同期信号Ｖｓｙｎｃ、水平同期信号Ｈｓｙｎｃ、データイネーブル（Ｄａｔａ  Ｅｎａｂｌｅ）信号ＤＥ、ドットクロックＤＣＬＫなどのタイミング信号を受信する。タイミング制御部８は、ホストコンピューターからのタイミング信号に基づいて、データ駆動部及びゲート駆動部４，６の動作タイミングを制御するためのタイミング制御信号ＤＣＳ、ＧＣＳを発生する。
【００１９】
そして、タイミング制御部８は、各画素Ｐに備えられている駆動ＴＦＴの閾値電圧及び移動度をセンシングして補償するためにセンシング制御信号ＳＣＳを発生し、データ駆動部４から提供される、センシングされた電圧を利用して、各画素Ｐの駆動ＴＦＴの閾値電圧及び移動度をセンシングする。タイミング制御部８は、駆動ＴＦＴのセンシングされた閾値電圧及び移動度を利用して映像データＲＧＢを補償し、補償された映像データＲＧＢを供給する。すると、データ駆動部４のソースドライブＩＣは、駆動ＴＦＴの閾値電圧及び移動度が補償されたデータ電圧を発生して複数のデータラインに供給する。
【００２０】
特に、実施例のタイミング制御部８は、駆動ＴＦＴの閾値電圧及び移動度が補償されたデータを利用して、駆動ＴＦＴの移動度を再びセンシングして、駆動ＴＦＴの移動度の誤差を補正する。そして、駆動ＴＦＴの移動度の誤差が願う比率以上と補正されたと判断する場合に、移動度の補正を終了し、センシングされた駆動ＴＦＴの閾値電圧及び補正された移動度を利用して映像データを補償し、補償された映像データをデータ駆動部４に供給する。これにより、実施例は、各画素別の駆動ＴＦＴ間の電流駆動能力の偏差を最小化し、画質を向上させることができる。
【００２１】
一方, タイミング制御部８は、センシングされた閾値電圧及び移動度をもとに、オフセット及びゲインを検出して保存し、保存されたオフセット及びゲインを利用してセンシングを補償し、補償されたセンシングデータを利用して駆動ＴＦＴの移動度を再びセンシングして、移動度の誤差を補正し、補正された移動度をもとに保存されたゲインを補正することができる。タイミング制御部８は、保存されたオフセット及び補正された移動度を利用して映像データを補償することができる。
【００２２】
以下、実施例に係る発光表示装置の駆動方法について詳しく説明する。
【００２３】
図２は、実施例に係る発光表示装置の駆動方法を示すフローチャートである。図３は、図２における第１の段階を具体的に示すフローチャートである。図４は、図２における第２の段階を具体的に示すフローチャートである。
【００２４】
図２に示す発光表示装置の駆動方法は、複数のデータラインＤＬを介して、各画素Ｐに備えられている駆動ＴＦＴの閾値電圧及び移動度をセンシングする第１の段階（Ｓ１）と、複数のデータラインＤＬ（または、電院ライン；図示せず）を介して駆動ＴＦＴの移動度を再びセンシングして、駆動ＴＦＴ間の移動度の誤差を補正する第２の段階（Ｓ２）と、駆動ＴＦＴの移動度及び閾値電圧が補償されたデータ電圧を複数のデータラインＤＬに供給する第３の段階Ｓ３と、を含む。
【００２５】
第１の段階Ｓ１は、図３に示すように、第１−１の段階（Ｓ１−１）及び第１−２の段階（Ｓ１−２）を含む。
【００２６】
第１−１の段階（Ｓ１−１）は、複数のデータラインＤＬに第１のセンシング電圧を印加し、印加した第１のセンシング電圧を、各画素Ｐに備えられている駆動ＴＦＴを介して放電させる段階である。
【００２７】
第１−２の段階（Ｓ１−２）は、第１のセンシング電圧が駆動ＴＦＴを介して放電される量及び放電される勾配をセンシングして駆動ＴＦＴの閾値電圧及び移動度をセンシングし、これを保存する段階である。
【００２８】
第２の段階（Ｓ２）は、図４に示すように、第２−１の段階（Ｓ２−１）及び第２−２の段階（Ｓ２−２）を含む。
【００２９】
第２−１の段階（Ｓ２−１）は、複数のデータラインＤＬに、駆動ＴＦＴの閾値電圧及び移動度が補償された第２のセンシング電圧を印加し、印加した第２のセンシング電圧を、各画素Ｐに備えられている駆動ＴＦＴを介して放電させる段階である。
【００３０】
第２−２の段階（Ｓ２−２）は、第２のセンシング電圧が駆動ＴＦＴを介して放電される勾配をセンシングして、第１−２の段階（Ｓ１−２）で保存された駆動ＴＦＴの移動度の誤差を補正する段階である。この第２−２の段階（Ｓ２−２）をより詳しく説明すると、下記の通りである。
【００３１】
第２−２の段階（Ｓ２−２）は、Ａ、Ｂ、Ｃ、Ｄ、Ｅ段階（Ａ、Ｂ、Ｃ、Ｄ、Ｅ）を含む。
【００３２】
Ａ段階（Ａ）は、第２のセンシング電圧が駆動ＴＦＴを介して放電される勾配をセンシングして、各画素Ｐ別の駆動ＴＦＴの移動度をセンシングする段階である。
【００３３】
Ｂ段階（Ｂ）は、Ａ段階でセンシングした各画素別の駆動ＴＦＴの移動度の均一度を測定し、測定した均一度（Ｕ）が既に設定された基準値（Ｕｒｅｆ）よりも大きいと、第３の段階Ｓ３に移行する段階である。
【００３４】
Ｃ段階（Ｃ）は、Ｂ段階（Ｂ）で測定した均一度（Ｕ）が基準値（Ｕｒｅｆ）より小さいまたは等しいと、Ａ段階（Ａ）でセンシングした各画素別の駆動ＴＦＴの移動度の中から基準となる基準移動度を設定する段階である。
【００３５】
Ｄ段階（Ｄ）は、Ａ段階でセンシングした各画素別の駆動ＴＦＴの移動度と基準移動度との偏差率を求める段階である。Ｄ段階（Ｄ）で、偏差率は式１のように求める。式１を参照すると、偏差率は、基準移動度に対する、基準移動度と測定した移動度との差の比率となる。
【００３６】
（式１）
偏差率＝（基準移動度−測定した移動度）／基準移動度
【００３７】
Ｅ段階（Ｅ）は、第１−２の段階（Ｓ１−２）で保存された駆動ＴＦＴの移動度を偏差率だけ補正した後、第２−１の段階（Ｓ２−１）に移行する段階である。Ｅ段階（Ｅ）で、駆動ＴＦＴの移動度は、式２のように補正される。式２を参照すると、駆動ＴＦＴの移動度は、駆動ＴＦＴの移動度に偏差率を掛けた補正値を、駆動ＴＦＴ移動度に足した値に補正される。
【００３８】
（式２）
補正された移動度＝移動度＋移動度×偏差率
【００３９】
一方、第３の段階（Ｓ３）は、第１−２の段階（Ｓ１−２）で保存された閾値電圧及び第２−２の段階（Ｓ２−２）で補正された移動度を補償してデータ電圧を発生し、これを複数のデータラインＤＬに供給する段階である。
【００４０】
このように、実施例は、駆動ＴＦＴの閾値電圧及び移動度をセンシングし、駆動ＴＦＴの移動度を再びセンシングして、駆動ＴＦＴの移動度の誤差を補正する。そして、駆動ＴＦＴの移動度の誤差が特定の比率以上と補正されたと判断されると、駆動ＴＦＴの移動度及び閾値電圧が補償されたデータ電圧を複数のデータラインＤＬに供給する。これにより、実施例は、各画素別の駆動ＴＦＴ間の電流駆動能力の偏差を最小化し、画質を向上させることができる。
【００４１】
以上で説明した本発明は、上述の実施例及び添付の図面に限定されるものではなく、本発明の技術的思想から逸脱しない範囲内で、様々な置換、変形及び変更が可能であるということは、本発明の属する技術の分野における通常の知識を有する者には明らかであろう。
【符号の説明】
【００４２】
ＤＣＳ    データ制御信号
ＧＣＳ    ゲート制御信号
ＳＣＳ    センシング制御信号
【図１】
0005619862.tif 000002
【図２】
0005619862.tif 000003
【図３】
0005619862.tif 000004
【図４】
0005619862.tif 000005